(57)【特許請求の範囲】
【請求項１】
試料滴下部材と、標識物質含有部位を有する標識物質保持部材と、検出部を有するクロマトグラフ媒体部材と、吸収部材とを含み、亜硝酸化合物と、有機酸又は有機酸誘導体とを含有する、検体中の検出対象を検出するためのイムノクロマトグラフィー装置であって、
前記試料滴下部材、前記標識物質保持部材、前記クロマトグラフ媒体部材及び前記吸収部材がこの順に試料が展開されるように配設され、
前記標識物質含有部位より上流側に、前記亜硝酸化合物を含有する部位と、前記有機酸又は有機酸誘導体を含有する部位とを有し、
前記亜硝酸化合物を含有する部位と、前記有機酸又は有機酸誘導体を含有する部位とが、厚み方向に実質的に接触しない
イムノクロマトグラフィー装置であって、
前記有機酸又は有機酸誘導体が、下記一般式（１）で表される含窒素複素環化合物であるイムノクロマトグラフィー装置。
【化１】
0006659406.tif 000008
（式（１）中、Ｒ1、Ｒ2はそれぞれ独立に、水素原子、カルボニル基、または置換基を有していてもよいアルキル基を表し、アルキル基は互いに結合して環を形成し、脂環式炭化水素環若しくは芳香族炭化水素環を形成してもよい。
Ａは単結合または二重結合を、Ｘは-Ｃ（＝Ｏ）-、または-（ＣＨ2）ｎ-を、Ｙは炭素原子または窒素原子を表し、ｎは１または２である。
Ｚは水素原子、水酸基、置換基を有していてもよいアルキル基、-Ｃ（＝Ｏ）Ｒ３、または-Ｏ-Ｃ（＝Ｏ）Ｒ３を表す。Ｒ３は置換基を有していてもよいアルキル基、アルコキシ基を表す。）
【請求項２】
前記有機酸又は有機酸誘導体が、フタルイミド、Ｎ-アセチルフタルイミド、Ｎ-（ｔｅｒｔ-ブトキシカルボニルオキシ）フタルイミド、Ｎ-ヒドロキシスクシンイミド、Ｎ-アセトキシスクシンイミド、及びヒダントインからなる群より選択される少なくとも１である、請求項１に記載のイムノクロマトグラフィー装置。
【請求項３】
前記亜硝酸化合物が、亜硝酸塩である請求項１または２に記載のイムノクロマトグラフィー装置。
【請求項４】
前記検出対象がグラム陽性菌である請求項１〜３のいずれか１項に記載のイムノクロマトグラフィー装置。
【請求項５】
前記グラム陽性菌が溶血性連鎖球菌である請求項４に記載のイムノクロマトグラフィー装置。
【請求項６】
請求項１〜５のいずれか１項に記載のイムノクロマトグラフィー装置と、検体を希釈して展開するための検体希釈液とを含む、イムノクロマトキット。
【請求項７】
請求項６に記載のイムノクロマトキットを用いて、検体中の検出対象を検出する方法であって、以下の工程（ｉ）〜（ｖ）を含むイムノクロマト検出方法。
（ｉ）検体希釈液により検体を希釈した検体含有液を試料滴下部材に滴下する工程
（ｉｉ）亜硝酸化合物と、有機酸又は有機酸誘導体との反応により生成した亜硝酸により、検体中の検出対象から被検出物質を抽出する工程
（ｉｉｉ）標識物質保持部材において被検出物質を標識化する工程
（ｉｖ）検体含有液がクロマトグラフ媒体部材上を移動して、検出部において検出対象を検出する工程
（ｖ）検体含有液が、吸収部材により吸収される工程
【発明の詳細な説明】
【技術分野】
【０００１】
検体中の検出対象を検出する簡便な体外診断キット又は携帯用診断装置として重要性が高いイムノクロマトグラフィー装置、イムノクロマトキット、及びイムノクロマト検出方法に関する。
【背景技術】
【０００２】
近年、イムノクロマトグラフ用ストリップ形式のイムノアッセイは、抗体の持つ特異的反応性を利用して、検体中の検出対象を検出する簡便な体外診断キットもしくは携帯用診断装置として汎用性が高まっている。特に、最近では、インフルエンザウィルスや細菌といった病原体に対する感染の有無を検査するためのイムノクロマト法に基づく簡便な検査具についても関心が高まり、研究開発が進められてきた。
【０００３】
溶血性連鎖球菌（以下、「溶連菌」ともいう。）の診断は、群特異的である多糖体を抗原として検査することで行う。多糖体の抽出法としては、酵素やファージ、塩酸や次亜塩素酸などを用いた方法が知られているが、亜硝酸を用いる抽出法が最も一般的である。
【０００４】
亜硝酸による抽出法は、多糖体の高い抽出効率と亜硝酸が低価格で取り扱いが容易である点にメリットがあるが、亜硝酸自体が不安定で分解しやすい化合物であるため、抽出前に亜硝酸ナトリウム等の亜硝酸化合物と酢酸等の有機酸とを混合し、その都度亜硝酸を調製しなければならない点にデメリットがある。また、恒常的に診断を行う場合、その都度亜硝酸を調製することは医師や検査技師等にとって大きな負担となる。加えて、混合工程を含むため、試薬の混合間違い等により正しい安全な診断を行えない可能性もある。
【０００５】
この問題点を克服するために、溶血性連鎖球菌からの多糖抗原を抽出する工程を簡易化するための簡便な検査具についても研究開発が進められてきた。
【０００６】
例えば、特許文献１では、生物（特に、連鎖球菌Ａ群又はＢ群）からの多糖抗原を抽出する方法において、ａ．測定量の亜硝酸塩が滲み込ませて乾燥されている第１吸収性物質、ｂ．測定量の中和塩基及び緩衝液が滲み込ませて乾燥されている第２吸収性物質、ｃ．測定量の酸の水溶液、を組み合わせたキットを用いた簡易化した抽出方法が提案されている（特許文献１参照）。
【０００７】
連鎖球菌科などの微生物／細菌性生物体に特徴的な炭水化物抗原を検出するための分析装置や方法に関しては、既に上市販売されているものもあり、例えば、イムノクロマト試薬としては、クイックビュー  ＤｉｐＳｔｉｃｋ  ＳｔｒｅｐＡ（ＤＳファーマバイオメディカル）やストレップＡテストパック・プラスＯＢＣ（三和化学研究所）などがあり、また、スライドラテックス凝集法試薬としてはＡストレプトＡＤ「生研」（デンカ生研）などが知られている。
【０００８】
ところで、イムノクロマト試薬の市販品にあっては、一般的に検体の試験において陽性と判定されるためには、直接法では溶連菌濃度が１×１０６ＣＦＵ／ｍＬ以上であることが必要とされている。その為、１×１０６ＣＦＵ／ｍＬ未満の場合には、陽性であるにも拘らず陰性と判定されたり、また、不溶性担体で抗体を標識したイムノクロマト法検査薬は、一般的にＥＩＡと比較して感度が低い為、陽性の場合に観察されるラインが明瞭でないという問題点や、さらには、試料液中に被検出物質（抗原等）が存在しないにも拘らず、陽性と判定される、所謂、偽陽性が生じるという問題点があった。
【０００９】
また、不溶性担体（金コロイド粒子、着色ラテックス粒子等）で抗体を標識したイムノクロマト法（「粒子イムノクロマト法」ともいう。）にあっては、測定試料とか測定環境、測定条件によっては、依然として該不溶性担体の凝集が起き、非特異反応が起きることがあり、展開速度が遅い等の問題点は解決できない場合がある。そのため、個々の測定試料とか測定環境、測定条件を採用した粒子イムノクロマト法において、不溶性担体の凝集が起きず、非特異反応が起きることがなく、展開速度が速い検査薬の探求があった。
【００１０】
上記問題を解決するために、本発明者らはこれまでに、イムノクロマトグラフ法検査薬で細菌を検査するに当たっては、使用する試料抽出液や検査デバイス中に環状オリゴ糖及び／又は亜硝酸塩を含有させた検査薬を開発している（特許文献２参照）。この検査薬は、試料抽出液である展開液が検査デバイス展開中に保持されている有機酸や生成してくる亜硝酸によってｐＨ条件が変化しても、検体またはイムノクロマトデバイス中のタンパク質成分等が変性・析出して、判定ラインに引っ掛かり、非特異的な反応を誘発することがなく、かつ、抗体固定粒子コロイドの凝集を起こすことがない、検査精度（以下「Ｓ／Ｎ比」という。）が高く、展開速度の速い検査薬である。また上記検査デバイスは、亜硝酸をその都度用事調製をすることなく、検査デバイス上で環状オリゴ糖の存在下で亜硝酸を生成させることができるため検査効率、検査精度及び省力化を向上させることができた。
【先行技術文献】
【特許文献】
【００１１】
【特許文献１】特表平７−５０３５４３号公報
【特許文献２】特開２０１５−３４７１９号公報
【発明の概要】
【発明が解決しようとする課題】
【００１２】
しかし、上記検査デバイスには、保存安定性という観点で以下のような改善すべき点があることがわかった。
有機酸及び亜硝酸塩を含有させた従来の検査デバイスにおいては、検査デバイスの保存中に、一部の有機酸と亜硝酸塩が検査デバイス内で拡散することによって、両者が接触し、亜硝酸が発生してしまうおそれがあることがわかった。検査デバイスの保存中に亜硝酸の発生が進行すると、実際に検査デバイスを使用する際には、亜硝酸の発生が不十分となって検出対象の抽出効率が低下してしまい、検出感度が落ちてしまう。したがって、この点で検査デバイスの保存安定性を向上させる余地があった。
また、上記検査デバイスが含有する環状オリゴ糖は、亜硝酸塩の安定化には必要であったが、一方で環状オリゴ糖は粘性を持つ物質であるため、測定試料、測定環境によっては偽陽性を起こしやすい物質でもあった。したがって、環状オリゴ糖を使用せずに、デバイス保存中の亜硝酸塩を安定化できる方法も望まれている。
【００１３】
そこで、本発明の目的及び課題は、保存安定性が向上し、検出対象を高感度に検出できるイムノクロマトグラフィー装置、イムノクロマトキット及びそれを用いたイムノクロマト検出方法を提供することにある。
特に、亜硝酸化合物と、有機酸又は有機酸誘導体とを含有する、検体中の検出対象を検出するためのイムノクロマトグラフィー装置において、該装置保存中の亜硝酸の発生を抑制することにより、保存安定性が向上したイムノクロマトグラフィー装置、イムノクロマトキット及びそれを用いたイムノクロマト検出方法を提供することにある。
またイムノクロマトグラフィー装置の保存安定性を向上させることで、該装置の使用時の亜硝酸生成効率を高め、検出対象を高感度に検出できるイムノクロマトグラフィー装置、イムノクロマトキット及びそれを用いたイムノクロマト検出方法を提供することにある。
【課題を解決するための手段】
【００１４】
本発明者らは、上記課題を解決すべく鋭意研究した結果、亜硝酸化合物と、有機酸又は有機酸誘導体とを含有する、検体中の検出対象を検出するためのイムノクロマトグラフィー装置において、亜硝酸化合物を含有する部位と、有機酸又は有機酸誘導体を含有する部位とが、特定の位置関係を有することにより、装置保存中に、亜硝酸化合物と、有機酸又は有機酸誘導体とが装置内で拡散し、両者が接触することによっておこる亜硝酸の発生を抑制することができ、保存安定性の高いイムノクロマトグラフィー装置を提供することができた。
【００１５】
すなわち、本発明は以下の通りである。
１．試料滴下部材と、標識物質含有部位を有する標識物質保持部材と、検出部を有するクロマトグラフ媒体部材と、吸収部材とを含み、亜硝酸化合物と、有機酸又は有機酸誘導体とを含有する、検体中の検出対象を検出するためのイムノクロマトグラフィー装置であって、
前記試料滴下部材、前記標識物質保持部材、前記クロマトグラフ媒体部材及び前記吸収部材がこの順に試料が展開されるように配設され、
前記標識物質含有部位より上流側に、前記亜硝酸化合物を含有する部位と、前記有機酸又は有機酸誘導体を含有する部位とを有し、
前記亜硝酸化合物を含有する部位と、前記有機酸又は有機酸誘導体を含有する部位とが、厚み方向に実質的に接触しない
イムノクロマトグラフィー装置。
２．前記有機酸又は有機酸誘導体が、下記一般式（１）で表される含窒素複素環化合物である前記１に記載のイムノクロマトグラフィー装置。
【００１６】
【化１】
0006659406.tif 000002
【００１７】
（式（１）中、Ｒ1、Ｒ2はそれぞれ独立に、水素原子、カルボニル基、または置換基を有していてもよいアルキル基を表し、アルキル基は互いに結合して環を形成し、脂環式炭化水素環若しくは芳香族炭化水素環を形成してもよい。
Ａは単結合または二重結合を、Ｘは−Ｃ（＝Ｏ）−、または−（ＣＨ2）ｎ−を、Ｙは炭素原子または窒素原子を表し、ｎは１または２である。
Ｚは水素原子、水酸基、置換基を有していてもよいアルキル基、−Ｃ（＝Ｏ）Ｒ３、または−Ｏ−Ｃ（＝Ｏ）Ｒ３を表す。Ｒ３は置換基を有していてもよいアルキル基、アルコキシ基を表す。）
３．前記有機酸又は有機酸誘導体が、フタルイミド、Ｎ−アセチルフタルイミド、Ｎ−（ｔｅｒｔ−ブトキシカルボニルオキシ）フタルイミド、Ｎ−ヒドロキシスクシンイミド、Ｎ−アセトキシスクシンイミド、及びヒダントインからなる群より選択される少なくとも１である、前記１又は２に記載のイムノクロマトグラフィー装置。
４．前記亜硝酸化合物が、亜硝酸塩である前記１〜３のいずれか１に記載のイムノクロマトグラフィー装置。
５．前記検出対象がグラム陽性菌である前記１〜４のいずれか１に記載のイムノクロマトグラフィー装置。
６．前記グラム陽性菌が溶血性連鎖球菌である前記５に記載のイムノクロマトグラフィー装置。
７．前記１〜６のいずれか１に記載のイムノクロマトグラフィー装置と、検体を希釈して展開するための検体希釈液とを含む、イムノクロマトキット。
８．前記７に記載のイムノクロマトキットを用いて、検体中の検出対象を検出する方法であって、以下の工程（ｉ）〜（ｖ）を含むイムノクロマト検出方法。
（ｉ）検体希釈液により検体を希釈した検体含有液を試料滴下部材に滴下する工程
（ｉｉ）亜硝酸化合物と、有機酸又は有機酸誘導体との反応により生成した亜硝酸により、検体中の検出対象から被検出物質を抽出する工程
（ｉｉｉ）標識物質保持部材において被検出物質を標識化する工程
（ｉｖ）検体含有液がクロマトグラフ媒体部材上を移動して、検出部において検出対象を検出する工程
（ｖ）検体含有液が、吸収部材により吸収される工程
【発明の効果】
【００１８】
本発明では、亜硝酸化合物と、有機酸又は有機酸誘導体とを含有する、検体中の検出対象を検出するためのイムノクロマトグラフィー装置において、亜硝酸化合物を含有する部位と、有機酸又は有機酸誘導体を含有する部位とが、特定の位置関係を有することにより、装置保存中に有機酸又は有機酸誘導体と、亜硝酸化合物が装置内で拡散、接触することによっておこる亜硝酸の発生を抑制することができ、保存安定性の高いイムノクロマトグラフィー装置、イムノクロマトキット及びそれらを用いたイムノクロマト検出方法を提供できる。
さらに本発明は、上述のように、装置保存中における亜硝酸の発生を抑制できるため、本発明の装置やキット使用時の亜硝酸生成効率を高め、検出対象を高感度に検出することが可能となる。
【図面の簡単な説明】
【００１９】
【図１】本発明の一実施形態のイムノクロマトグラフィー装置の構造を説明するための断面図である。
【図２】本発明の別の実施形態のイムノクロマトグラフィー装置の構造を説明するための断面図である。
【図３】本発明の一実施形態のイムノクロマトグラフィー装置等の構造の一部分を説明するための断面図である。
【図４】本発明の別の実施形態のイムノクロマトグラフィー装置の構造の一部分を説明するための断面図である。
【発明を実施するための形態】
【００２０】
以下、本発明を詳細に説明する。
本発明の一実施形態は、検体中の検出対象から被検出物質（抗原）を抽出し、その被検出物質（抗原）に特異的に結合する結合物質（抗体）との抗原−抗体反応により形成される複合体をクロマトグラフ媒体に展開させることで、検出対象を各種の検出手段により確認するためのイムノクロマトグラフィー装置、イムノクロマトキット、イムノクロマト検出方法（以下、イムノクロマト検出系ということがある）に基づくものである。その抗原と最も特異的に反応して結合する抗体としては、それと特異的に結合する、例えばモノクローナル抗体及びポリクローナル抗体若しくはその他の公知の抗体を任意に使用することができる。
【００２１】
上記抗体には標識を付けておくことで、検出対象の検出が可能となる。標識としては、酵素、発色物質、蛍光物質、または放射性物質などを任意に使用することができるが、操作が簡単で、検定時間も短くするという、イムノクロマト検出方法の特色を出す為や、抗体、抗原の種類を考慮して決めればよい。
また、検出手段は、操作が簡単で、比較的短時間で判定できるという、イムノクロマト検出方法の特色を表すためには、目視判定で、正確に判定できると言う性能を有することを特徴とするが、時間、精度などが要求される場合には、分光光度検出、放射線検出など、各種の検出手段を付帯させて、検出することができる。
【００２２】
本発明における検出対象としては、本発明のイムノクロマト検出系により生成する亜硝酸によって、細菌に特異な抗原多糖体が抽出されるような細菌であれば適用可能である。特に厚いペプチドグリカン層を有するグラム陽性菌を含む検出対象において好ましく用いられる。例えば、ブドウ球菌、連鎖球菌、肺炎球菌、かん菌、たんそ菌、セレウス菌、ジフテリア菌、リステリア、破傷風菌、ボツリヌス菌、ウェルシュ菌などが挙げられる。中でも球菌類であるブドウ球菌、連鎖球菌、肺炎球菌でより好ましく用いられ、最適には連鎖球菌、特に溶血性連鎖球菌で用いられる。
【００２３】
上記検出対象を含有する検体としては、例えば、唾液、鼻汁、鼻腔拭い液、鼻腔吸引液、痰、咽頭拭い液、肺胞洗浄液、直腸拭い液、便懸濁液、尿、羊水等の生体試料のみならず、食品抽出液、上水、下廃水、培養液等々といった試料であることができ、特に限定されるものではない。中でも、本発明はこれらの検体中に含まれ、原因となる菌がグラム陽性菌、特に、溶連菌を含む場合に有用である。本発明は、呼吸器疾患患者等から採取される唾液等に含まれる溶連菌を検出対象とし、溶連菌から抽出された多糖体を被検出物質として、検出対象の溶連菌を検出することができる。
【００２４】
以下、本発明のイムノクロマトグラフィー装置、イムノクロマトキット及びイムノクロマト検出方法を実施するための形態を順次説明をするが、本発明は以下に示す実施形態に限られるものではない。
【００２５】
＜イムノクロマトグラフィー装置＞
本発明のイムノクロマトグラフィー装置は、試料滴下部材と、標識物質含有部位を有する標識物質保持部材と、検出部を有するクロマトグラフ媒体部材と、吸収部材とを含み、亜硝酸化合物と、有機酸又は有機酸誘導体（以下、有機酸等ともいう）とを含有する、検体中の検出対象を検出するためのイムノクロマトグラフィー装置であって、試料滴下部材、標識物質保持部材、クロマトグラフ媒体部材及び吸収部材がこの順に試料が展開されるように配設され、標識物質含有部位より上流側に、亜硝酸化合物を含有する部位と、有機酸等を含有する部位とを有し、亜硝酸化合物を含有する部位と、有機酸等を含有する部位とが、厚み方向に実質的に接触しないイムノクロマトグラフィー装置である。亜硝酸化合物を含有する部位と、有機酸等を含有する部位とが上記のような位置関係を有することによって、装置保存中に有機酸等と亜硝酸化合物が装置内で拡散・接触することを抑制でき、すなわち亜硝酸の発生を抑制できる。前記亜硝酸化合物を含有する部位と、前記有機酸等を含有する部位とが上記のような位置関係を有することによって、装置保存中における亜硝酸化合物と有機酸等とが装置内で拡散・接触することを抑制できるのは、亜硝酸化合物と有機酸等の反応が限定的となるからであると推測される。
【００２６】
本明細書において、「部材」と、「部位」とは意味が異なるものとして用いる。例えば、「亜硝酸化合物（有機酸等）を含有する部材」とは、亜硝酸化合物（有機酸等）を含有する「部材」全体を意味し、「亜硝酸化合物（有機酸等）を含有する部位」とは、亜硝酸化合物（有機酸等）を含有する部材の中で、実際に亜硝酸化合物（有機酸等）を含有する領域を意味することとする。なお、「部位」が部材の一部の領域ではなく部材全体を示す場合もある。
また本明細書においては、亜硝酸化合物を含有する部位が存在する部材を亜硝酸化合物含有部材、有機酸等を含有する部位が存在する部材を有機酸等含有部材ということがある。
【００２７】
本明細書において、「試料展開方向」とは、試料が、試料滴下部材に滴下されてから吸収部材で吸収されるまでに展開（移動）する方向をいい、例えば、図１に示すイムノクロマトグラフィー装置においては、矢印（右矢印）で示す方向をいう。また、本発明において「上流側」とは、上記「試料展開方向」と真逆の方向をいい、吸収部材を基準として試料滴下部材方向（側）をいう。
【００２８】
以下図面を参照しながら本発明のイムノクロマトグラフィー装置について具体的に説明する。
本発明のイムノクロマトグラフィー装置の一実施形態としては、図１に示すように、少なくとも試料滴下部材（１）、標識物質含有部位を有する標識物質保持部材（２）、検出部（４）を有するクロマトグラフ媒体部材（３）、及び吸収部材（５）を含む複数の部材から構成されている。そして、該装置は、試料滴下部材（１）、標識物質保持部材（２）、検出部（４）を有するクロマトグラフ媒体部材（３）、及び吸収部材（５）の各部材がこの順に試料が展開されるように、イムノクロマトグラフィー装置を構成する各部材が連結して配設されている。なお、上記以外の他の部材を該装置の任意の位置に備えていてもよく、例えば図２に示すように、試料滴下部材（１）と標識物質保持部材（２）の間に、他の部材（例えば、有機酸等含有部材７等）が設けられていてもよい。各部材が連結される態様としては、図１に示すように各部材同士が重なって連結されていてもよいし、各部材同士は重ならず、部材の側面同士が試料展開方向の側で接触して連結されていてもよい。
【００２９】
試料滴下部材（１）とは、イムノクロマトグラフィー装置において検体を含有する試料（以下、単に試料ともいう）を滴下する部位（以下、試料滴下部位１１という）を有する部材をいい、図１の符号１で示す部材をいう。試料滴下部位１１は、試料滴下部材（１）のうち、試料を滴下する一部分の領域を指す。試料滴下部材（１）における試料滴下部位１１の位置は特に制限はなく、例えば、試料滴下部材（１）の両端付近であってもよいし、試料滴下部材（１）の中央付近であってもよい。試料滴下部材（１）には、後述する亜硝酸化合物や有機酸等、その他、本発明の効果を損なわない任意の試薬を含有させることができる。
試料滴下部材（１）は、試料が迅速に吸収されるが、保持力は弱く、速やかに試料が移動していくような性質の多孔質シートで構成することができる。多孔質シートとしては、例えば、セルロース濾紙、ガラスファイバー濾紙、ポリウレタン、ポリアセテート、酢酸セルロース、ナイロン、綿布等が挙げられる。試料滴下部材（１）の形状としては、シート状のものを使用することができる。
【００３０】
標識物質保持部材（２）とは、標識成分によって試薬成分を標識した標識物質を含有する部位（以下、標識物質含有部位２１という）を有する部材であり、図１の符号２で示す部材をいう。標識物質含有部位２１は、標識物質保持部材（２）のうち、実際に標識物質を含有する領域を指す。標識物質含有部位２１は図１に示すように標識物質保持部材（２）の一部分の領域を占めるものであってもよいし、標識物質保持部材（２）の部材全体の領域を占めるものであってもよい。標識物質含有部位２１が標識物質保持部材（２）の一部分の領域を占めるものである場合、標識物質保持部材（２）における標識物質含有部位２１の位置は特に制限はなく、例えば標識物質保持部材（２）の両端付近であってもよいし、標識物質保持部材（２）の中央付近であってもよい。標識物質保持部材（２）には、後述する亜硝酸化合物や有機酸等、その他、本発明の効果を損なわない任意の試薬を含有させることができる。
標識成分としては、金属粒子、ラテックス粒子、酵素、蛍光化合物等があり、なかでも金属粒子が好ましい。試薬成分としては、分析物を認識する能力を有する粒子又は分子であり、好ましくはモノクローナル抗体又はポリクローナル抗体若しくはそのフラグメントである（第一試薬）。
【００３１】
金属粒子としては、金、銀、白金、ゲルマニウム、ロジウム、パラジウムのような貴金属の単粒子、複合粒子が任意に好ましく使用できる。特に金が色相の変化に敏感であり、特に好ましい。金属粒子の状態を見れば、平均粒径は１ｎｍ〜５００ｎｍ、好ましくは１０ｎｍ〜２５０ｎｍ、より好ましくは３５ｎｍ〜１００ｎｍ程度である。上記平均粒径を有する、金のナノ径の各種金粒子を金ナノ粒子という。イムノクロマト検出方法においては、この金の粒径、粒度分布、色調などを考慮して、金粒子の表面に白金粒子を担持させた、金複合粒子とすることにより、イムノクロマト検出方法の標識とすること、タンパク質の染色剤としての有用性を高める為に使用することができる。さらに、金属粒子表面に結合できる官能基と抗体と結合できる反応基を有する金標識増幅剤のような、いわゆる増感剤を使用すれば測定感度を高めることができる。
標識物質保持部材（２）としては、グラスファイバーまたはセルロースの膜が通常使用される。標識物質保持部材（２）の形状としては、シート状のものを使用することができる。
【００３２】
本発明のイムノクロマトグラフィー装置において、標識物質含有部位２１より上流側に亜硝酸化合物を含有する部位と、有機酸等を含有する部位とを有する。本発明のイムノクロマトグラフィー装置は、このような構成をとることで、標識物質含有部位２１より上流側で亜硝酸化合物と有機酸等が反応して亜硝酸を発生させ、検出対象から被検出物質を抽出することができるので、検出対象は被検出物質が抽出された状態で標識物質含有部位２１へと移動し、被検出物質（例えば、多糖体）を標識化することが可能となる。
【００３３】
亜硝酸化合物を含有する部位と有機酸等を含有する部位は、同一部材内に存在してもよいし、それぞれの部位が異なる部材に存在していてもよい。異なる部材に、亜硝酸化合物を含有する部位と有機酸等を含有する部位が存在する態様とは、標識物質含有部位２１より上流側に亜硝酸化合物及び有機酸等の一方を含有し、亜硝酸化合物及び有機酸等の一方を含有する部材より上流側の部材が亜硝酸化合物及び有機酸等の他方を含有する態様を意味する。
なお、同一の部材内に亜硝酸化合物を含有する部位と有機酸等を含有する部位が存在する場合、亜硝酸化合物を含有する部位と有機酸等を含有する部位は同一箇所ではない。装置保存中に亜硝酸化合物と有機酸等との反応が進行してしまうからである。
また、亜硝酸化合物を含有する部位及び／又は有機酸等を含有する部位が存在する部材としては、上記試料滴下部材（１）と、標識物質保持部材（２）の２つの部材のみに限られず、試料滴下部材（１）と標識物質保持部材（２）との部材間に、別の部材を備える場合は、当該部材に亜硝酸化合物または有機酸等を含有させることもできる。この場合、当該部材の数は１つであっても複数であってもよい。例えば、図２に示すように、試料滴下部材（１）と標識物質保持部材（２）との部材間に、有機酸等含有部材７を備えることができる。
【００３４】
本発明のイムノクロマトグラフィー装置において、亜硝酸化合物を含有する部位は、標識物質含有部位より上流側に存在する限り、有機酸等を含有する部位よりも試料展開方向の上流側に位置してもよいし、逆に有機酸等を含有する部位よりも試料展開方向の下流側に位置してもよい。ただし、前述したように亜硝酸化合物を含有する部位と有機酸等を含有する部位は同一箇所ではない。亜硝酸化合物を含有する部位が有機酸等を含有する部位よりも試料展開方向の上流側に位置する場合、亜硝酸化合物が装置内を有機酸等を含有する部位へと移動し、両者が接触・反応して亜硝酸が生成される。また、亜硝酸化合物を含有する部位が有機酸等を含有する部位よりも試料展開方向の下流側に位置する場合、有機酸等が装置内を亜硝酸化合物を含有する部位へと移動し、両者が接触・反応して亜硝酸が生成される。
【００３５】
中でも、亜硝酸化合物を含有する部位は、試料滴下部材（１）の部材内の任意の位置であることが好ましく、有機酸等を含有する部位は、有機酸等含有部材７の部材内の任意の位置であることが好ましい。
また、亜硝酸化合物を含有する部位又は有機酸等を含有する部位のうち、下流側に存在するいずれか一方の部位と標識物質保持部材（２）内の標識物質含有部位２１との物理的な距離は、最短距離が２０ｍｍ〜４０ｍｍであることが好ましい。２０ｍｍ未満であると抽出効率が下がり感度が低下し、４０ｍｍを超えると検出時間が長くなるからである。
【００３６】
本発明は、亜硝酸化合物を含有する部位と有機酸等を含有する部位とが、厚み方向に実質的に接触しない構成を有することを特徴とする。上記構成を有することによって、装置の保存中に亜硝酸化合物と有機酸等が装置内で接触することを抑制でき、すなわち装置保存時の亜硝酸の発生を抑制でき、装置の保存安定性を向上できる。
【００３７】
ここで、「厚み方向」とは、本発明のイムノクロマトグラフィー装置において、上述した、試料滴下部材、標識物質保持部材、クロマトグラフ媒体部材、吸収部材等の各部材の厚みの方向を意味する。上記部材がシート状の部材である場合は、そのシートの厚み方向を示す。例えば、図１に示すイムノクロマトグラフィー装置においては、矢印（上下矢印）で示す方向をいう。
なお、上記「厚み方向」とは、言い換えると「部材の積層方向」、すなわち上記各部材が積層する方向を意味する。また、「厚み方向」とは、試料展開方向に対して垂直方向を意味するともいえる。
【００３８】
また、「接触」とは、亜硝酸化合物を含有する部位と有機酸等を含有する部位が、物理的に接触することを示す。
そして、「亜硝酸化合物を含有する部位と有機酸等を含有する部位とが、厚み方向に実質的に接触しない」とは、亜硝酸化合物を含有する部位と有機酸等を含有する部位との、厚み方向に接触する領域の試料展開方向の長さ（以下、重なりの長さともいう）が、０．５ｍｍ以下である場合をいう。本発明において、厚み方向に接触する領域の試料展開方向の長さは、好ましくは、０．３ｍｍ以下、より好ましくは０．１ｍｍ以下であり、さらに好ましくは０ｍｍである。厚み方向に接触する領域の試料展開方向の長さが０ｍｍとは、亜硝酸化合物を含有する部位と有機酸等を含有する部位とが、厚み方向に全く接触しないことを意味する。厚み方向に接触する領域の試料展開方向の長さが０．５ｍｍ以下であれば、装置保存中に有機酸等と亜硝酸化合物が装置内で拡散し、両者が接触することを防ぐことができる。
【００３９】
以下に、亜硝酸化合物を含有する部位と有機酸等を含有する部位とが、厚み方向に実質的に接触しない構成について、具体例をあげて説明するが、本発明の実施形態は以下の例に制限されるものではない。
【００４０】
図３（ａ）、（ｂ）、（ｃ）に示す態様は、亜硝酸化合物を含有する部位と有機酸等を含有する部位とが、厚み方向に実質的に接触していない、本発明の実施形態の構成を示す具体例である。
【００４１】
図３（ａ）、（ｂ）に示す態様は、亜硝酸化合物を含有する部位を含む「部材Ａ」と有機酸等を含有する部位を含む「部材Ｂ」同士が、厚み方向に接触して重なっているが、亜硝酸化合物を含有する部位ａと有機酸等を含有する部位ｂ同士が、厚み方向に接触していない態様である。
図３（ｃ）に示す態様は、亜硝酸化合物を含有する部位を含む「部材Ａ」と有機酸等を含有する部位を含む「部材Ｂ」が、「部材Ｃ」を介して重なる態様である。これは、「部材Ａ」と「部材Ｂ」同士が、厚み方向に接触して重なっておらず、かつ亜硝酸化合物を含有する部位ａと有機酸等を含有する部位ｂ同士が、厚み方向に接触していない態様である。なお、部材Ｃは試料の展開を阻むものではあってはならず、速やかに試料が移動していくような性質の多孔質シートで構成することが好ましい。
【００４２】
一方、図３（ｄ）に示す態様は、亜硝酸化合物を含有する部位を含む「部材Ａ」と有機酸等を含有する部位を含む「部材Ｂ」同士が、厚み方向に接触して重なっており、かつ亜硝酸化合物を含有する部位ａと有機酸等を含有する部位ｂ同士が、厚み方向に接触している態様である。
この図３（ｄ）の態様は、亜硝酸化合物を含有する部位と有機酸等を含有する部位とが厚み方向に実質的に接触している態様であるため、本発明の実施形態の構成とは異なる。
【００４３】
また、図４に示す態様も、亜硝酸化合物を含有する部位と有機酸等を含有する部位とが、厚み方向に実質的に接触していない、本発明の実施形態の構成を示す具体例である。
【００４４】
図４（ａ）、（ｂ）に示す態様は、亜硝酸化合物を含有する部位を含む「部材Ａ」と有機酸等を含有する部位を含む「部材Ｂ」同士が、厚み方向には重ならず、試料展開方向で「部材Ａ」と「部材Ｂ」が接触している態様である。これらの態様は、亜硝酸化合物を含有する部位ａと有機酸等を含有する部位ｂ同士が、厚み方向に接触していない。図４（ｂ）は、亜硝酸化合物を含有する部位ａと有機酸等を含有する部位ｂ同士が、試料展開方向で接触するが、厚み方向に接触してはいない。
【００４５】
本発明における亜硝酸化合物とは、好ましくは、亜硝酸塩であり、酸と反応して亜硝酸を生成するものであって、検査に悪影響が及ばないものであれば無機亜硝酸塩、例えば、亜硝酸ナトリウム、亜硝酸カリウム、亜硝酸カルシウム、亜硝酸マグネシウム等が挙げられ、有機亜硝酸化合物、例えば、亜硝酸メチル、亜硝酸エチル、亜硝酸ブチル、亜硝酸アミル等であってもよく、何ら限定されるものではない。さらにはそれらを混合して使用することも可能である。好ましくは、無機亜硝酸塩であって、なかでも、亜硝酸のアルカリ金属塩が好ましく、亜硝酸ナトリウムが最も好ましい。
本発明のイムノクロマトグラフィー装置における亜硝酸化合物の含有量は、５０ｍｍｏｌ〜２００ｍｍｏｌ／装置であり、好ましくは７５ｍｍｏｌ〜１７５ｍｍｏｌ／装置である。
【００４６】
本発明の有機酸又は有機酸誘導体としては、亜硝酸化合物と反応して亜硝酸を生成するものであって、本発明の装置内に存在するタンパク質等を変性・析出させないものであれば特に制限されない。
有機酸としては、有機スルホン酸、有機カルボン酸、有機リン酸等を挙げることができる。具体的には、酢酸、酒石酸、イタコン酸、シュウ酸、コハク酸、クエン酸、フタル酸、グリコール酸、クロロ酢酸、フルオロ酢酸、安息香酸、ベンゼンスルホン酸等が挙げられる。また、固定化した酸、例えば、ポリスルホン酸、ポリカルボン酸、ポリスチレン、ポリアクリル酸等であってもよく何ら限定されるものではない。
有機酸誘導体としては、有機酸イミド、有機酸アミド、有機酸エステル、有機酸無水物等を挙げることができる。
これらの有機酸又は有機酸誘導体は、低分子化合物のみならず、オリゴマー状あるいはポリマー状のものを使用することができ、また二種以上を含有してもよい。
【００４７】
中でも、イムノクロマトグラフィー装置の保存安定性や後述するｐＨの観点から、好ましくはカルボニル基を有する含窒素複素環化合物であり、さらに好ましくは、下記一般式（１）で表される含窒素複素環化合物である。
【００４８】
【化２】
0006659406.tif 000003
【００４９】
式（１）中、Ｒ1、Ｒ2はそれぞれ独立に、水素原子、カルボニル基、または置換基を有していてもよいアルキル基を表し、アルキル基は互いに結合して環を形成し、脂環式炭化水素環若しくは芳香族炭化水素環を形成してもよい。
Ａは単結合または二重結合を、Ｘは−Ｃ（＝Ｏ）−、または−（ＣＨ2）ｎ−を、Ｙは炭素原子または窒素原子を表し、ｎは１または２である。
Ｚは水素原子、水酸基、置換基を有していてもよいアルキル基、−Ｃ（＝Ｏ）Ｒ３、または−Ｏ−Ｃ（＝Ｏ）Ｒ３を表す。Ｒ３は置換基を有していてもよいアルキル基、アルコキシ基を表す。
【００５０】
本発明の一般式（１）で表される化合物としては、具体的には、フタルイミド、Ｎ−アセチルフタルイミド、Ｎ−（ｔｅｒｔ−ブトキシカルボニルオキシ）フタルイミド、Ｎ−ヒドロキシスクシンイミド、Ｎ−アセトキシスクシンイミド、Ｎ−カルボベンゾキオキシスクシンイミド、炭酸ジ（Ｎ−スクシンイミジル）、及びヒダントイン等が挙げられる。
中でも、フタルイミド、Ｎ−アセチルフタルイミド、Ｎ−（ｔｅｒｔ−ブトキシカルボニルオキシ）フタルイミド、Ｎ−ヒドロキシスクシンイミド、Ｎ−アセトキシスクシンイミド、ヒダントインが好ましく、Ｎ−アセトキシスクシンイミド、ヒダントインがより好ましく、Ｎ−アセトキシシクシンイミドが特に好ましい。
有機酸及び／又は有機酸誘導体としては、これらを混合して使用することも可能である。
【００５１】
上記一般式（１）で表される含窒素複素環化合物を使用することによって、亜硝酸の生成におけるｐＨ範囲を広く設定できるため好ましい。すなわち、例えば有機酸としてクエン酸を使用した場合は、有機酸と亜硝酸化合物との反応時におけるｐＨ範囲は６．８〜７．０付近に制限されるが、上記一般式（１）で表される含窒素複素環化合物を使用することにより、ｐＨ範囲を６．５〜８．０付近にまで広く設定することができる。これにより、例えば検体の成分により、展開液のｐＨが変化したとしても、効率よく亜硝酸を発生させることができる。
【００５２】
本発明のイムノクロマトグラフィー装置における有機酸等の含有量は、１０ｍｍｏｌ〜４０ｍｍｏｌ／装置であり、好ましくは２０ｍｍｏｌ〜３０ｍｍｏｌ／装置である。上記範囲であることによって、効率よく亜硝酸を精製できる。
【００５３】
クロマトグラフ媒体部材（３）は、膜担体上に検出部（４）を作成したものである。膜担体としては、毛細管現象により試料を吸収し移動させることができるものであれば、特に限定されるものではない。例えば、ニトロセルロース、酢酸セルロース、ナイロン、ポリエーテルスルホン、ポリビニルアルコール、ポリエステル、ガラス繊維、ポリオレフィン、セルロース、これらの混合繊維からなる人工ポリマーからなる群から選択される。クロマトグラフ媒体部材（３）の形状としては、シート状のものを使用することができる。
検出部（４）には、モノクローナル抗体又はポリクローナル抗体若しくはそのフラグメント（第二試薬）が、ニトロセルロースのシート上に担持固定されている。
【００５４】
吸収部材（５）には、過剰の試料を迅速に吸収する能力を有する材料であるガラス繊維、セルロース繊維等からなる濾紙が汎用されているが、さらに吸収した液体が逆流しないように保持する能力を有する材料を用いればより好ましい（特開２０１２−１８９３４６号公報）。吸収部材（５）の形状としては、シート状のものを使用することができる。
【００５５】
また上述したように、上記以外の他の部材を本発明の装置の任意の位置に備えていてもよい。これらの部材としては、試料が迅速に吸収されるが、保持力は弱く、速やかに検体（検体試料）が移動していくような性質の多孔質シートで構成することができる。多孔質シートとしては、例えば、セルロース濾紙、ガラスファイバー濾紙、ポリウレタン、ポリアセテート、酢酸セルロース、ナイロン、綿布等が挙げられる。これらの部材の形状としては、シート状のものを使用することができる。
【００５６】
また、本発明のイムノクロマトグラフィー装置は、バッキングシート（６）を含有することができる。バッキングシート（６）は基材である。バッキングシート（６）の片面に粘着剤を塗布したり、粘着テープを貼り付けることにより片面が粘着性を有し、該粘着面上に、試料滴下部材（１）、標識物質保持部材（２）、検出部（４）を有するクロマトグラフ媒体部材（３）、及び吸収部材（５）の一部または全部が密着して設けられている。また、本発明のイムノクロマトグラフィー装置が上記部材以外を含有する場合（例えば、亜硝酸化合物含有部材や有機酸等含有部材等）も同様である。バッキングシート（６）は、粘着剤によって試料液に対して不透過性、非透湿性となるようなものであれば、基材としては特に限定されない。
【００５７】
検出部（４）に用いる試薬成分（第二試薬）及び標識試薬に用いる試薬成分（第一試薬）は、その一方又は両方がモノクローナル抗体であってもよいし、ポリクローナル抗体であってもよい。好ましくは、検出部（４）に用いる試薬成分（第二試薬）がポリクローナル抗体であり、標識試薬に用いる試薬成分（第一試薬）がモノクローナル抗体である場合である。
【００５８】
モノクローナル抗体及びポリクローナル抗体若しくはそのフラグメントは、公知であり、入手可能であり、公知の方法により調製することができる。抗体産生動物種としては、ヒト、マウス、ラット、ウサギ、ヤギ、ウマ等々である。免疫グロブリンとしては、ＩｇＧ、ＩｇＭ、ＩｇＡ、ＩｇＥ、ＩｇＤのいずれでもよい。なかでも、標識物質保持部材（２）に用いる試薬成分（第一試薬）及び検出部（４）に用いる試薬成分（第二試薬）の両方に、ウサギ由来の抗体を用いることが好ましい。
【００５９】
本発明のイムノクロマトグラフィー装置は、製品化する前に、通常乾燥処理に施される。乾燥温度は例えば２０℃〜５０℃、乾燥時間は０．５時間〜１時間である。
【００６０】
＜イムノクロマトキット＞
本発明のイムノクロマトキットは、上記のイムノクロマトグラフィー装置と、検体を希釈して展開するための検体希釈液とを含む。
【００６１】
本発明のイムノクロマトキットにおいて検体希釈液は、展開液としても使用することができる。検体希釈液を展開液として用いる場合には、検体と検体希釈液（展開液）を予め混合した検体含有液を試料として、試料滴下部材に供給・滴下して展開させることもできるし、先に検体を試料滴下部材に供給・滴下した後、検体希釈液（展開液）を試料滴下部材に供給・滴下して展開させてもよい。
【００６２】
通常、展開液のｐＨ条件は酸性である方が、亜硝酸化合物と有機酸等が反応して生成される亜硝酸の生成効率が高く、抗原の抽出効率を高めることができる。一方、ｐＨ条件が酸性であると、イムノクロマトグラフィー装置や後述する検体希釈液中に存在する、例えば、カゼイン等のタンパク質、またはその塩や検体中に含まれる高粘性タンパク質などが析出してくる、または標識物質の凝集が起こり展開不良となるといった問題が生じる可能性がある。したがって、本発明における展開液のｐＨ条件としては、亜硝酸が生成するｐＨ条件であって、カゼイン等といったタンパク質や検体中に含まれる高粘性タンパク質などが析出してこない、かつ、標識物質の凝集が起こらないｐＨ条件として、ｐＨが６．５〜８．５、好ましくは６．６〜８．０、最も好ましくは６．８〜７．５である。上記ｐＨであればタンパク質の析出や標識物質の凝集が起こりにくい。なお上述したように、上記ｐＨの範囲で亜硝酸を効率的に生成するには、有機酸又は有機酸誘導体として上記一般式（１）で表される有機酸又は有機酸誘導体を用いることが好ましい。
【００６３】
また、本発明のイムノクロマトキットにおいて、検体希釈液中やイムノクロマトグラフィー装置の各部位には、上述した試薬以外にも、本発明の効果を損なわない範囲で、各種試薬、例えば、非イオン性界面活性剤等の界面活性剤、塩、緩衝剤、その他各種添加剤等を含有させることができる。
【００６４】
本発明のイムノクロマトキットに使用できる非イオン性界面活性剤としては、例えば、ポリオキシエチレンアルキルエーテル、ポリオキシエチレン／ポリオキシプロピレンアルキルエーテル、ポリオキシエチレンソルビタン脂肪酸エステル（商品名「Ｔｗｅｅｎ」シリーズ）、ポリオキシエチレンｐ−ｔ−オクチルフェニルエーテル（商品名「Ｔｒｉｔｏｎ」シリーズ）、ポリオキシエチレンｐ−ｔ−ノニルフェニルエーテル（商品名「ＴｒｉｔｏｎＮ」シリーズ）、アルキルポリグルコシド、脂肪酸ジエタノールアミド、アルキルモノグリセリルエーテル等を挙げることができる。また、悪影響を及ぼさない範囲内において非イオン性界面活性剤以外のイオン性界面活性剤などを配合して使用することも可能である。
【００６５】
本発明の検体希釈液やイムノクロマトグラフィー装置に使用する非イオン性界面活性剤の含有量としては、０．２質量％〜２．０質量％の範囲であり、好ましくは０．５質量％〜１．５質量％の範囲で含有させることができる。０．２質量％未満では展開が不安定となり正確な判定が行えない、または、非特異的反応を抑制できず正確な判定がやや難しくなる傾向を示す。２．０質量％以上となると、必要以上の濃度となり、非特異的反応の抑制には好ましい影響を与えることがないばかりか、技術的に無意味になり、経済的でなく無駄となる。
【００６６】
本発明の検体希釈液やイムノクロマトグラフィー装置に使用される塩としては、代表的なものとしては塩化ナトリウム、塩化カリウム、塩化カルシウム、塩化マグネシウム等が挙げられる。好ましくは塩化ナトリウムである。
本発明の検体希釈液やイムノクロマトグラフィー装置に使用される塩の濃度としては、１ｍＭ〜５００ｍＭの範囲であり、５ｍＭ〜２００ｍＭの範囲が好ましく、１０ｍＭ〜５０ｍＭの範囲がより好ましい。濃度が１ｍＭより低くなると、例えば０．１ｍＭと少なくなるとタンパク質の抽出作用が不十分になる。５００ｍＭ以上では、例えば、１Ｍ、２Ｍと多くなれば、技術的に無意味な量であり、必要以上の濃度となり経済的でなく無駄となる。
本発明の検体希釈液やイムノクロマトグラフィー装置に使用される塩としては、１種のみならず２種以上配合して使用することもできる。
【００６７】
本発明の検体希釈液やイムノクロマトグラフィー装置に使用する緩衝剤としては、試料の添加や試料の蒸発や希釈による濃度の変化、外部からの多少の異物の混入によっても致命的な影響を生じない作用（緩衝作用）を持つものであれば特に制限はない。
本発明において、緩衝剤としては、リン酸緩衝液（リン酸＋リン酸ナトリウム）、酢酸緩衝液（酢酸＋酢酸ナトリウム）、クエン酸緩衝液（クエン酸＋クエン酸ナトリウム）、ホウ酸緩衝液、トリス塩酸緩衝液（トリス（ヒドロキシルメチル）アミノメタン＋塩酸）、ＴＥ緩衝液（トリス＋エチレンジアミン四酢酸）、ＴＡＥ緩衝液（トリス＋酢酸＋エチレンジアミン四酢酸）、ＴＢＥ緩衝液（トリス＋ホウ酸＋エチレンジアミン四酢酸）又はＨＥＰＥＳ緩衝液（２−［４−（２−ヒドロキシエチル）−１−ピペラジニル］エタンスルフォン酸）、Ｂｉｃｉｎｅ緩衝液（Ｎ，Ｎ−ビス（２−ヒドロキシエチル）グリシン緩衝剤）等が挙げられる。好ましくは、リン酸緩衝液、トリス塩酸緩衝液、酢酸緩衝液、などであり、より好ましくは、トリス塩酸緩衝液である。本発明のイムノクロマト検出系においては、悪影響を及ぼさない範囲内であれば２種以上の緩衝剤を用いることも可能であって、何ら制限されない。
【００６８】
本発明で使用する緩衝剤の濃度としては、１０ｍＭ〜５００ｍＭの範囲が好ましく、１０ｍＭ〜３００ｍＭの範囲がより好ましく、３０ｍＭ〜１００ｍＭの範囲がさらに好ましい。濃度が１０ｍＭより低くなると緩衝作用が不十分になり、タンパク質成分の析出抑制や標識粒子の凝集抑制も不十分となる。５００ｍＭ以上では、必要以上の濃度となり経済的でなく無駄となる。また、緩衝液として、ｐＨ範囲７．１〜９．８のものを作るのが最適である。
【００６９】
本発明の検体希釈液やイムノクロマトグラフィー装置中には、生物学的親和性に基づく副反応を抑制したり、非特異的反応を抑制することが公知の添加剤、例えば、抗原抗体反応の促進あるいは非特異的反応を抑制するためのタンパク質（例えば、牛血清アルブミン、ゼラチン、カゼイン等）、高分子化合物（例えば、ポリエチレングリコール、メチルセルロース、ポリビニルピロリドン、ポリビニルアルコール、デキストラン等）、イオン性界面活性剤又はポリアニオン（例えば、デキストラン硫酸、ヘパリン、ポリスチレンスルホン酸、コンドロイチン硫酸等）、あるいは抗菌剤等の１種もしくは２種以上を添加して使用することも可能かつ有効であって、何ら妨げるものではない。また、これらの抗原抗体反応の促進あるいは非特異的反応を抑制するためのタンパク質、高分子化合物、イオン性界面活性剤又はポリアニオン、あるいは、抗菌剤等の１種もしくは２種以上を、固定相を構成するクロマトグラフ媒体部材上の、移動相の移動経路上に保持させておくことも可能かつ有効であって、何ら妨げるものではない。
【００７０】
本発明の検体希釈液やイムノクロマトグラフィー装置中に含有させる上記添加剤の濃度としては、０．０１質量％〜２０質量％の範囲が好ましく、０．１質量％〜１０質量％の範囲がより好ましく、０．５質量％〜５質量％の範囲がさらに好ましい。０．０１質量％未満では、非特異的反応を抑制できず正確な判定が行なえない。２０質量％を越えると、必要以上の濃度となり経済的でなく無駄となる。
【００７１】
検体希釈液は、通常、溶媒として水を用い、上記の非イオン性界面活性剤、塩、緩衝剤等他に、例えば抗原抗体反応の促進または非特異的反応を抑制するためのタンパク質、高分子化合物（ＰＶＰ等）、イオン性界面活性剤もしくはポリアニオン、または、抗菌剤、キレート剤等々の１種もしくは２種以上を加えてもよい。加える順序は特に特定されず、同時に加えても差支えない。検出する検体と検体希釈液を予め混合した検体含有液を、試料滴下部材上に供給・滴下して展開させることもできるし、先に検体を試料滴下部材上に供給・滴下した後、検体希釈液を試料滴下部材上に供給・滴下して展開させてもよい。
【００７２】
各種試薬をイムノクロマトグラフィー装置に含有させる場合、その方法としては、例えば、各種試薬を含有させる部位に塗布又は含浸させた後、乾燥させる方法により、当該部位に担持または保持させる態様とすることができる。
また、各部材の全体ではなく一部分にスポット的に各種試薬を含有させる場合は、例えば、部材をマスクした後にスプレーにより噴霧する方法などが挙げられる。
【００７３】
本発明の典型的なキット構成における判定の原理を以下の１〜４に説明する。
１．検体を検体希釈液で希釈処理した検体含有液を試料として、イムノクロマトグラフィー装置の試料滴下部材（１）（試料滴下部位１１）に、所定量（通常、０．１ｍｌ〜２ｍｌ）滴下する。検体含有液が滴下されると、検体含有液は試料滴下部材（１）に迅速に吸収され、速やかに標識物質保持部材（２）へと移動を始める。
２．標識物質含有部位２１より試料展開方向の上流側のいずれかの位置に保持された亜硝酸化合物は、移動してきた検体含有液の水分に溶解し、検体と共に移動する。
３．次いで、亜硝酸化合物を溶解して含有した検体含有液は、標識物質含有部位２１より試料展開方向の上流側のいずれかの位置に保持された有機酸等と接触し、亜硝酸化合物と有機酸等が反応して亜硝酸を生成する。この亜硝酸は検体中に例えば検出対象の溶連菌等が存在する場合に、該菌体表面の多糖体（被検出物質）を抽出する。
４．次いで、亜硝酸を含有する検体含有液は、標識物質含有部位２１へ移動する。標識物質含有部位２１を検体含有液が通過する際、標識物質含有部位２１に保持されていた標識試薬（第一試薬）が検体含有液の水分に溶解し、被検出物質（例えば多糖体等）を標識化し、検体と共に移動する。
【００７４】
５．次いで、検体含有液の水分に溶解した標識試薬は、クロマトグラフ媒体部材（３）上の検出部（４）を通過する。ここでは、検体含有液中に被検出物質（例えば、多糖体）が存在する場合、当該被検出物質は、抗原・抗体の特異的結合反応により、検出部（４）に担持固定されている抗体（第二試薬）と標識試薬（第一試薬）とによってサンドイッチ状に挟まれるように検出部に固定され、検出部（４）が着色することで、検出対象を検出できる。検体中に被検出物質（例えば、多糖体）が存在しない場合には、検体含有液の水分に溶解した標識試薬（第一試薬）は、クロマトグラフ媒体部材（３）上の検出部（４）を通過しても特異的結合反応が起こらないので、検出部（４）が着色しない。
６．最後に、検体含有液は、吸収部材（５）へと移動し吸収される。
このようにして、検体中の被検出物質（例えば、多糖体）の有無を正確に判定することができる。
【００７５】
＜イムノクロマト検出方法＞
本発明のイムノクロマト検出方法は以下の工程（ｉ）〜（ｖ）を含み、上記のイムノクロマトキットを用いて検体中の検出対象を検出する。
（ｉ）検体希釈液により検体を希釈した検体含有液を試料滴下部材に滴下する工程
（ｉｉ）亜硝酸化合物と、有機酸又は有機酸誘導体との反応により生成した亜硝酸により、検体中の検出対象から被検出物質を抽出する工程
（ｉｉｉ）標識物質保持部材において被検出物質を標識化する工程
（ｉｖ）検体含有液がクロマトグラフ媒体部材上を移動して、検出部において検出対象を検出する工程
（ｖ）検体含有液が、吸収部材により吸収される工程
各工程についての詳細は、判定の原理で上述した内容と同様である。
【実施例】
【００７６】
以下、本発明の有効性を、実施例を挙げて説明するが、本発明はこれらに限定されるものではない。
【００７７】
（試験例１）
本試験では、本発明のイムノクロマトグラフィー装置において、亜硝酸化合物を含有する部位と有機酸等を含有する部位とが特定の位置関係を有することによって、該装置の保存安定性が向上するか否かを、加速安定性試験によって確認した。
【００７８】
［実施例１］
＜イムノクロマトキットの作製＞
本実施例では、検体希釈液、及び、亜硝酸ナトリウムを含む試料滴下部材（１）と、フタルイミドを含む有機酸等含有部材（７）と、標識物質保持部材（２）と、検出部（４）を有するクロマトグラフ媒体部材（３）と、吸収部材（５）とからなるイムノクロマトキットを作製した。
【００７９】
（１）クロマトグラフ媒体部材（３）上への検出部（４）の作製
メンブレンとしてニトロセルロースからなるシート（ミリポア社製、商品名：ＨＦ１２０、２５０ｍｍ×２５ｍｍ）を用いた。５質量％のイソプロパノールを含む１０ｍＭのリン酸緩衝液（ｐＨ７．４）で１．０ｍｇ／ｍｌの濃度になるようにウサギ由来抗溶連菌ポリクローナル抗体（第二試薬）（Ｍｅｒｉｄｉａｎ社製）を希釈し、その希釈された溶液１５０μＬを抗体塗布機（ＢｉｏＤｏｔ社製）によりメンブレン上に１ｍｍの幅で塗布し、５０℃で３０分間乾燥させ、室温で一晩乾燥させ、クロマトグラフ媒体部材（３）上に検出部（４）を作製した。
【００８０】
（２）標識物質溶液の作製
金コロイド懸濁液（田中貴金属工業社製：平均粒子径４０ｎｍ）０．５ｍＬに、リン酸緩衝液（ｐＨ７．４）で０．１ｍｇ／ｍＬの濃度になるように希釈したウサギ由来抗溶連菌モノクローナル抗体（第一試薬）抗体（Ｖｉｒｏｓｔａｔ社製）０．１ｍＬ加え、室温で１０分間静置した。次いで、１０質量％の牛血清アルブミンを含むリン酸緩衝液（ｐＨ７．４）を０．１ｍｌ加え、十分撹拌した後、８０００×ｇで１５分間遠心分離を行い、上清を除去した後、１質量％の牛血清アルブミンを含むリン酸緩衝液（ｐＨ７．４）０．１ｍＬを加え、標識物質溶液を作製した。
【００８１】
（３）亜硝酸ナトリウムを含む試料滴下部材（１）の作製
１２×１００ｍｍのグラスファイバーコンジュゲートパッド（メルク社製）に、４ｍｏｌの亜硝酸ナトリウムを含む水溶液０．６ｍＬを、パッド全体に塗布し、凍結乾燥させ、試料滴下部材（１）を作製した。
（４）フタルイミドを含む有機酸等含有部材（７）の作製
１２×１００ｍｍのグラスファイバーコンジュゲートパッド（メルク社製）に、１ｍｏｌのフタルイミドを含む水溶液０．６ｍＬをパッド全体に塗布し、凍結乾燥させ、フタルイミドを含む有機酸等含有部材（７）を作製した。
【００８２】
（５）イムノクロマトグラフィー用試験片の作製
上記作製した標識物質溶液２００μｌに１００μｌの２５質量％トレハロース水溶液と８０μｌの５質量％のカゼイン（終濃度：１質量％）を含むリン酸緩衝液（ｐＨ９．０）を加えたものを１２×１００ｍｍのグラスファイバーパッド（ミリポア社製）に均一になるように添加した後、真空乾燥機にて乾燥させ、標識物質保持部材（２）を作製した。
次に、バッキングシートから成る基材に、試料滴下部材（１）、有機酸等含有部材（７）、標識物質保持部材（２）、検出部（４）を有するクロマトグラフ媒体部材（３）、吸収部材（５）を試料展開方向に沿って、この順で連結するように貼り合わせた（図２に示す順）。なお、試料滴下部材（１）と有機酸等含有部材（７）の、部材の厚み方向に接触している領域の試料展開方向の長さは、０ｍｍとした。すなわち、試料滴下部材（１）と有機酸等含有部材（７）が試料展開方向で接触するように連結した。そして、裁断機で幅が５ｍｍとなるように裁断し、イムノクロマトグラフィー用試験片とした。
下記表１に、試料滴下部材（１）と有機酸等含有部材（７）との、厚み方向に接触している領域の試料展開方向の長さ（重なりの長さ）を示す。
【００８３】
（６）検体希釈液の作製
０．５質量％のＴｗｅｅｎ２０、０．６質量％ポリビニルピロリドン（平均分子量３６万）、１質量％の牛血清アルブミンと１５０ｍＭ塩化ナトリウムを含む２０ｍＭのトリス緩衝溶液（ｐＨ８．０）からなる、検体を希釈しイムノクロマトグラフィー用試験片へ添加し展開するための検体希釈液とした。
【００８４】
＜測定（加速安定試験）＞
上記作製したイムノクロマトグラフィー用試験片及び検体希釈液を用いて、以下の加速安定試験で検体中の検出対象である溶連菌の存在の有無を測定し、イムノクロマトグラフィー用試験片の保存安定性の評価を行った。
上記作製したイムノクロマトグラフィー用試験片を、５０℃で０時間（インキュベートなし）または２週間インキュベートし、その後不活化したＡ群β溶血性連鎖球菌（溶連菌）を２×１０６ｏｒｇ／ｍＬとなるように加えたものを陽性検体試料として測定を行った。
検体試料１５０μＬをイムノクロマトグラフィー用試験片の試料滴下部材（試料滴下部位）に滴下し展開させ、１５分後に目視判定をした。テストラインの赤い線を目視確認できるものを「＋」、鮮明に目視確認できるものを「＋＋」、赤い線をうっすら目視確認できるものを「±」、赤い線を目視確認できないものを「−」とした。陽性検体試料を用いたときの結果を表２に示す。
また、上記溶連菌を加えない検体希釈液を陰性検体試料として測定も行った。陰性検体試料を用いたときの結果を表３に示す。
【００８５】
［比較例１、２］
イムノクロマトグラフィー用試験片の作製の条件（試料滴下部材（１）と有機酸等含有部材（７）との重なりの長さ）を表１に記載の条件に変更したことを除いては、実施例１と同様にイムノクロマトキットを作製し、測定を行った。その結果を表２に示す。
なお、亜硝酸ナトリウムは試料滴下部材（１）のパッド全体に塗布されており、フタルイミドは有機酸等含有部材（７）のパッド全体に塗布されているため、試料滴下部材（１）のパッド（部材）と試料滴下部材（１）のパッド（部材）の重なりの長さが、実質的に、亜硝酸ナトリウムを含有する部位とフタルイミドを含有する部位との重なりの長さに相当する。
【００８６】
【表１】
0006659406.tif 000004
【００８７】
【表２】
0006659406.tif 000005
【００８８】
【表３】
0006659406.tif 000006
【００８９】
実施例１は、試料滴下部材（１）と有機酸等含有部材（７）とが、部材の厚み方向に実質的に接触していないため、５０℃で２週間インキュベートした場合であっても、陽性検体を検出することができ、保存安定性が高いことが分かった。
【００９０】
一方、比較例１及び２は、試料滴下部材（１）と有機酸等含有部材（７）とが部材の厚み方向に実質的に接触しているため（重なり長さが０．５ｍｍ越）、５０℃で２週間インキュベートした場合、陽性検体を検出することができず、十分な保存安定性を有していないことが分かった。
【００９１】
（試験例２）
本試験では、本発明のイムノクロマトグラフィー装置において、有機酸又は有機酸誘導体の種類を種々変更して、試験例１と同様に加速安定性試験を行った。加速安定試験は５０℃で０時間（インキュベートなし）、２週間、または４週間インキュベートして行った。
【００９２】
［実施例２］
有機酸等含有部材（７）に、フタルイミドを含む水溶液ではなく、Ｎ−アセチルフタルイミドを含む水溶液０．６ｍＬをパッド全体に塗布したことを除いては、実施例１と同様にイムノクロマトグラフィー用試験片の作製し、加速安定性試験を行った。結果を表４に示す。
【００９３】
［実施例３］
有機酸等含有部材（７）に、フタルイミドを含む水溶液ではなく、Ｎ−（ｔｅｒｔ−ブトキシカルボニルオキシ）フタルイミドを含む水溶液０．６ｍＬをパッド全体に塗布したことを除いては、実施例１と同様にイムノクロマトグラフィー用試験片の作製し、加速安定性試験を行った。結果を表４に示す。
【００９４】
［実施例４］
有機酸等含有部材（７）に、フタルイミドを含む水溶液ではなく、Ｎ−ヒドロキシスクシンイミドを含む水溶液０．６ｍＬをパッド全体に塗布したことを除いては、実施例１と同様にイムノクロマトグラフィー用試験片の作製し、加速安定性試験を行った。結果を表４に示す。
【００９５】
［実施例５］
有機酸等含有部材（７）に、フタルイミドを含む水溶液ではなく、Ｎ−アセトキシスクシンイミドを含む水溶液０．６ｍＬをパッド全体に塗布したことを除いては、実施例１と同様にイムノクロマトグラフィー用試験片の作製し、加速安定性試験を行った。結果を表４に示す。
【００９６】
［実施例６］
有機酸等含有部材（７）に、フタルイミドを含む水溶液ではなく、ヒダントインを含む水溶液０．６ｍＬをパッド全体に塗布したことを除いては、実施例１と同様にイムノクロマトグラフィー用試験片の作製し、加速安定性試験を行った。結果を表４に示す。
【００９７】
【表４】
0006659406.tif 000007
【００９８】
実施例２〜６における有機酸又は有機酸誘導体はいずれも、上記一般式（１）で表される化合物である。いずれの実施例も５０℃で２週間インキュベートした場合であっても、陽性検体を検出することができ、保存安定性が高いことが分かった。特に、実施例５（Ｎ−アセトキシスクシンイミド）及び実施例６（ヒダントイン）では、５０℃で４週間インキュベートした場合であっても、陽性検体を検出することができ、保存安定性が特に高いことが分かった。
【符号の説明】
【００９９】
１    試料滴下部材
１１  試料滴下部位
２    標識物質保持部材
２１  標識物質含有部位
３    クロマトグラフ媒体部材
４    検出部
５    吸収部材
６    バッキングシート
７    有機酸等含有部材
Ａ，Ｂ，Ｃ  部材
ａ    亜硝酸化合物を含有する部位
ｂ    有機酸等を含有する部位
【図１】
0006659406.tif 000009
【図２】
0006659406.tif 000010
【図３】
0006659406.tif 000011
【図４】
0006659406.tif 000012